(57)【特許請求の範囲】
【請求項１】
押圧板（２）と受板（１）と底板（３）を有し、前記押圧板（２）と前記受板（１）の間に、分離される液体が収容されている液体貯留容器を配置し、前記押圧板（２）を前記受板（１）方向に移動させることにより、液体貯留容器を押圧するように形成した押圧補助具（１Ａ）であって、
前記底板（３）の天面に、前記受板（１）を垂直に突設し、
前記受板（１）の内側に、スライド板（４）を配置し、当該スライド板（４）に、当該スライド板（４）を上下に移動させることのできる移動部材（３０）を装着し、
前記押圧板（２）と前記受板（１）の間に、上部支持部材（５）を配置し、前記押圧板（２）下部に下部支持部材（６）を配置し、
前記受板（１）の下部に、押圧力付与部材（８）を配置し、
当該押圧力付与部材（８）に前記下部支持部材（６）を介して、前記押圧板（２）の下部を連結し、
前記上部支持部材（５）は、前記受板（１）と前記押圧板（２）の両側に、対として配置し、これにより前記押圧板（２）を前記受板（１）に支持し、
前記上部支持部材（５）の一端部は、前記押圧板（２）の両側に回動できるように軸支し、前記上部支持部材（５）の他方の端部は、前記受板（１）の両側に回動できるように軸支し、
前記押圧板（２）を受板（１）方向に移動させる際に、前記押圧板（２）の押圧力が前記液体貯留容器を介して、前記スライド板（４）へ加わり、前記スライド板（４）も同時に上方へ移動し、前記液体貯留容器を押圧する方向から見て、前方の前記押圧板（２）と後方の前記スライド板（４）により略平行に押圧しながら、前記液体貯留容器内の液体を排出することができることを特徴とする押圧補助具（１Ａ）。
【請求項２】
前記移動部材（３０）は、前記受板（１）の背面に装着され、当該移動部材（３０）は、凹型レール（３０ａ）を固定した固定板（３１）と、スライド板（４）の背面に固定された凸型レール（３０ｂ）と、凹型レール（３０ａ）と凸型レール（３０ｂ）の間に配置されるスライドボール（３０ｃ）より構成されることを特徴とする請求項１に記載の押圧補助具（１Ａ）。
【発明の詳細な説明】
【０００１】
【発明の属する技術分野】
本発明は各成分に分離された液体（例えば血液）を収納した液体貯留容器を、両側から挟んで、分離されている液体を成分毎に分取する際に用いられる押圧補助具の改良に関する。
【０００２】
【発明が解決しようとする課題】
図９は従来の押圧補助具５Ａの概略図で、図１０、図１１は液体貯留容器（以下「容器」と略記する）を設置した時の容器の断面図である。
底板５３の天面に垂直に受板５１を突設すると共に、受板５１の下部にバネ部５８を配置している。更にバネ部５８には押圧板５２が連結されている。
押圧板５２の下部にはバネ部５８と連動するように押圧レバー５０が装着され、押圧レバー５０は底板５３の天面に設けられたストッパー５４に係止される。通常使用前は、バネ部５８の力により、押圧板５２が受板５１の方向に閉じられており、受板５１と押圧板５２ａは常に重なった状態になっている。（点線は使用前の押圧板５２の位置を示す）
使用時は押圧レバー５０を倒す事により押圧板５２を倒し、押圧板５２と受板５１との間に形成されるＶ字形の隙間５１ａに容器（図示せず）を設置した後、押圧レバー５０をゆっくり戻し、受板５１と押圧板５２で容器（図示せず）を挟み込む。
【０００３】
図１０及び図１２は従来の押圧補助具５Ａ、５Ｂに容器８０を設置した断面図で、図１１及び図１３は押圧板の作用により容器８０が押圧された時の断面図である（図１２及び図１３の押圧補助具５Ｂはバネ部５８を上部に配置したものである）。
各成分に分離された血液を収納した容器８０を、押圧レバー（図示せず）を倒して生じた隙間５１ａに設置し、ゆっくり押圧レバー（図示せず）を戻す。前記容器８０には上層に血漿成分６０ａ、中層にバフィーコート６０ｂ、下層に血球成分６０ｃに分離されており、前記容器８０には排出口８２が設けられ、該排出口８２は導入管（図示せず）により分離用容器（図示せず）と連結されており、該分離用容器（図示せず）の口部に設けられている連通部材（図示せず）を折る事により、上層の血漿成分６０ａが分離用容器（図示せず）に移送される。分離終了する際は、導入管部に例えば鉗子を用いて移送を止める。
【０００４】
容器８０が押圧板５２と接する面８１ｂにおいて、容器８０が押圧板５２に押圧される事により、該容器８０が押圧板５２と接する面８１ｂが、押圧板５２の上部方向に押し上げ、又は下部方向に押し下げられるため、液体の排出に伴って、容器８０の排出口８２付近に歪みが生じて各層の境が乱れ、成分が混入して純度の高い成分を分取する事が難しい。
さらに容器８０が受板５１と接する面８１ａと該容器８０が押圧板５２と接する面８１ｂとの間隔が終始異なる事も、純度の高い成分の分取に重要な影響を与える事がわかった。
そこで本発明者らは以上の課題を解決する為に鋭意検討を重ねた結果、次の発明に到達した。
【０００５】
【課題を解決する為の手段】
［１］本発明は、押圧板（２）と受板（１）と底板（３）を有し、前記押圧板（２）と前記受板（１）の間に、分離される液体が収容されている液体貯留容器を配置し、前記押圧板（２）を前記受板（１）方向に移動させることにより、液体貯留容器を押圧するように形成した押圧補助具（１Ａ）であって、
前記底板（３）の天面に、前記受板（１）を垂直に突設し、
前記受板（１）の内側に、スライド板（４）を配置し、当該スライド板（４）に、当該スライド板（４）を上下に移動させることのできる移動部材（３０）を装着し、
前記押圧板（２）と前記受板（１）の間に、上部支持部材（５）を配置し、前記押圧板（２）下部に下部支持部材（６）を配置し、
前記受板（１）の下部に、押圧力付与部材（８）を配置し、
当該押圧力付与部材（８）に前記下部支持部材（６）を介して、前記押圧板（２）の下部を連結し、
前記上部支持部材（５）は、前記受板（１）と前記押圧板（２）の両側に、対として配置し、これにより前記押圧板（２）を前記受板（１）に支持し、
前記上部支持部材（５）の一端部は、前記押圧板（２）の両側に回動できるように軸支し、前記上部支持部材（５）の他方の端部は、前記受板（１）の両側に回動できるように軸支し、
前記押圧板（２）を受板（１）方向に移動させる際に、前記押圧板（２）の押圧力が前記液体貯留容器を介して、前記スライド板（４）へ加わり、前記スライド板（４）も同時に上方へ移動し、前記液体貯留容器を押圧する方向から見て、前方の前記押圧板（２）と後方の前記スライド板（４）により略平行に押圧しながら、前記液体貯留容器内の液体を排出することができる、押圧補助具（１Ａ）を提供する。
［２］本発明は、前記移動部材（３０）は、前記受板（１）の背面に装着され、当該移動部材（３０）は、凹型レール（３０ａ）を固定した固定板（３１）と、スライド板（４）の背面に固定された凸型レール（３０ｂ）と、凹型レール（３０ａ）と凸型レール（３０ｂ）の間に配置されるスライドボール（３０ｃ）より構成される、［１］に記載の押圧補助具（１Ａ）を提供する。
【０００６】
【発明の実施形態】
図１は本発明の押圧補助具１Ａの側面図で、図２は正面図、図３は前方斜視図、図４後方斜視図、図５は平面図、図６は図２のＡ−Ａ′の断面図である。
押圧補助具１Ａの形状と構造の一実施例について説明する。
底板３の天面に垂直に受板１を突設すると共に、受板１の下部にバネ部８を配置している。さらにバネ部８には下部支持部材６を介して押圧板２の下部が連結されている。さらにバネ部８と下部支持部材６は補助板７を介して連結され、押圧板２の下部と下部支持部材６は蝶番９を介して連結されている。また下部支持部材６の下部には押圧レバー１０が装着され、押圧レバー１０は底板３の天面に設けられたストッパー１１に係止される。
他方押圧板２の上部は、ピン１２により上部支持部材５の端部に回動できるように軸支され、上部支持部材５のもう一方の端部はピン１２により受板１の両側に回動できるように軸支されている。上部支持部材５は受板１と押圧板２との両側にそれぞれ設けられ、これらが対となって押圧板２を支持している。
受板１は内部に上下するスライド板４を配置すると共に、スライド板４の移動部材３０が装着されている。
該移動部材３０は本実施例では、受板１の背面に装着され、凹型レール３０ａを固定した固定板３１と、スライド板４の背面に固定された凸型レール３０ｂと、凹型レール３０ａと凸型レール３０ｂの間に配置されるスライドボール３０ｃより構成される。
前記移動部材３０は受板１の背面に二箇所設けられ、これが対となってスライド板４を上下にスライドさせる。
以上の形状と構造により押圧補助具１Ａは、押圧板２を受板１方向に移動させる際に押圧板２の押圧力が容器を介してスライド板４へ加わりスライド板４も同時に上方へ移動し、容器を押圧する方向から見て、前方の押圧板２と後方のスライド板４により略平行に押圧しながら、容器内の液体を排出する事ができる。
本発明の押圧補助具１Ａは、図１から図４に示した形状の構造に限定されるものではなく、これらと同様の作用効果を奏する形状と構造のものとし例えば次のオプションが想定される。
受板１の下部に直接バネ部８を連結したもの。
バネ部８と下部支持部材６を直接連結したもの。
スライド板４を押圧板２の内部に配置すると共に、押圧板２にスライド板４の移動部材３０を配置したもの。（この場合容器は、スライド板４と受板１に押圧される。）
上部支持部材５及びピン１２を省略して、下部支持部材６と押圧板２のみを連結したもの。
図１２の押圧補助具５Ｂのようにバネ部８を押圧補助具１Ａの上部に配置したもの。（底板３を除いて、押圧補助具１Ａを上下逆さにしたもので、押圧板２を受板１方向へ移動させる際には、スライド板４は同時に下方へ移動する。この場合、スライド板４は使用前には上方に保持され、使用時に下方へ移動するように形成されている。さらにこの場合、装着される容器６０の排出口６２は容器６０の上又は下に配置されていても容器６０内で分離された血液成分は上又は下の排出口６２より排出される。）
押圧板２に押圧力を付与するバネ部８（バネを備える）の代わりにバネのない単なる回動部を配置し、モーター、エアシリンダー、バネ等を用いて外部から押圧板２に押圧力を付与する構造にしたもの。
スライド板４を受板１又は押圧板２の前面に配置したもの。
スライド板４の移動部材としてコイル、スプリング等を使用したもの。
【０００７】
本発明の押圧補助具１Ａを使用した血液成分の分離方法について述べる。
図７は本発明の押圧補助具１Ａに容器６０を設置した時の断面図で、図８は押圧板の作用により容器６０が押圧された時の断面図である。
押圧レバー１０ａをストッパー１１方向に倒して、受板１と押圧板２の間に生じた隙間ａに容器６０を挟み込む様にして設置し、ゆっくり押圧レバー１０ａを戻す。（図１中の二点破線は使用前の押圧レバー１０ａの位置を示す）
容器を設置する位置は、受板１の内側に設けられているスライド板４の中心部に容器の中心がくるように設置する。
【０００８】
前記容器には上層に血漿成分６０ａ、中層にバフィーコート６０ｂ、下層に血球成分６０ｃに分離されており、前記容器６０には排出口６２が設けられ、該排出口６２は導入管（図示せず）により、分離用容器（図示せず）と連結されており、該分離用容器（図示せず）の口部に設けられている連通部材（図示せず）を折る事により上層の血漿成分６０ａが分離用容器（図示せず）に移送される。
分離終了する際は、導入管部に例えば鉗子を用いて移送を止める。
押圧板２が受板１方向に移動される際にスライド板４も同時に上方へ移動する事により、容器６０は、押圧する方向から見て前方の押圧板２と後方のスライド板４により、略平行に押圧されるので、容器６０は、受板１の内側に設けられたスライド板４に接している該容器６０の接する面６１ａと、他方の該容器６０が押圧板２と接している面６１ｂの間隔が同じとなる。
これに伴って容器６０中の各成分もお互いの界面を乱す事なく、縦方向に長く伸びるので、各成分の界面の接触面積を必要最小限意に抑えながら、各成分を分離する事ができる。
換言すれば血漿成分６０ａを容器６０の排出口６２から排出する時に、中層成分のバフィーコート６０ｂがほとんど混入する事なく、また、バフィーコート６０ｂを血漿成６０ａに続いて、容器６０の排出口６２から排出する時に、バフィーコート６０ｂを容器６０中にほとんど残す事なく、血球成分６０ｃから分離する事ができる。
以上のように各層の界面の乱れがなくなり、バフィーコート６０ｂが血漿成分６０ａと血球成分６０ｃに混入する事なく、純度の高い成分を採取する事が可能となった。
【０００９】
【発明の作用効果】
押圧板２が受板１方向に移動される際にスライド板４も同時に上方へ移動する事により、容器６０は、押圧板２とスライド板４により、略平行に押圧されるので、これに伴って容器４０中の各成分もお互いの界面を乱す事なく、縦方向に長く伸びるので、各成分の界面の接触面積を必要最小限に抑えながら、各成分を分離する事ができる。
換言すれば血漿成分６０ａを容器６０の排出口６２から排出する時に、中層成分のバフィーコート６０ｂがほとんど混入する事なく、また、バフィーコート６０ｂを血漿成６０ａに続いて、容器６０の排出口６２から排出する時に、バフィーコート６０ｂを容器６０中にほとんど残す事なく、血球成分６０ｃから分離する事ができる。
以上のように各層の界面の乱れがなくなり、バフィーコート６０ｂが血漿成分６０ａと血球成分６０ｃに混入する事なく、純度の高い成分を採取する事が可能となった。
【図面の簡単な説明】
【図１】本発明の押圧補助具の側面図
【図２】本発明の押圧補助具の正面図
【図３】本発明の押圧補助具の前方斜視図
【図４】本発明の押圧補助具の後方斜視図
【図５】本発明の押圧補助具の受板の平面図
【図６】図２の受板のＡ−Ａ′断面図
【図７】本発明の押圧補助具に容器を設置した時の断面図
【図８】本発明の押圧補助具に容器を設置し押圧した時の断面図
【図９】従来の押圧補助具の側面図
【図１０】 従来の押圧補助具に容器を設置した時の断面図
【図１１】従来の押圧補助具に容器を設置し押圧した時の断面図
【図１２】従来の押圧補助具に容器を設置した時の断面図
【図１３】従来の押圧補助具に容器を設置し押圧した時の断面図
【符号の説明】
１、５１                        受板
１Ａ、５Ａ、５Ｂ                      押圧補助具
２、５２、５２ａ                押圧板
３、５３                        底板
４                              スライド板
５                              上部支持部材
６                              下部支持部材
７                              補助板
８、５８                        バネ部
９                              蝶番
１０、１０ａ、５０              押圧レバー
１１、５４                      ストッパー
１２                            ピン
ａ、５１ａ                      隙間
３０                            移動部材
３０ａ                          凹型レール
３０ｂ                          凸型レール
３０ｃ                          スライドボール
３１                            固定板
６０、８０                      容器
６０ａ                          血漿成分
６０ｂ                          バフィーコート
６０ｃ                          血球成分
６１ａ、６１ｂ、８１ａ、８１ｂ  接面
６２、８２                      排出口
【図１】
0004291435.tif 000002
【図２】
0004291435.tif 000003
【図３】
0004291435.tif 000004
【図４】
0004291435.tif 000005
【図５】
0004291435.tif 000006
【図６】
0004291435.tif 000007
【図７】
0004291435.tif 000008
【図８】
0004291435.tif 000009
【図９】
0004291435.tif 000010
【図１０】
0004291435.tif 000011
【図１１】
0004291435.tif 000012
【図１２】
0004291435.tif 000013
【図１３】
0004291435.tif 000014